(57)【要約】【課題】フード捕集部から漏れ、室内の天井近傍に漂っている油煙を調理後すばやく排気するとともに、調理後の臭気低減を促進することができることを目的とする。【解決手段】調理時の排気では主排気ファン４を作動させ、調理後の換気では主排気ファン４と補助ファン７を作動させるとともに、補助ファン７より主排気ファン４の吸込風量を多くするという構成にしたことにより、調理時にはフード３下面から主排気ファン４で調理時の油煙を局所的に吸い込み排気し、補助ファン７の副吸気口８に連通した副吸込開口９から主排気ファン４の吸込み力のみの小風量で天井近傍に漂っている油煙を排気し、調理後は補助ファン７により天井付近に漂っている油煙をすばやく排気しながら臭気は主排気ファン４で排気することにより、フード３の捕集部から漏れ、室内の天井近傍に漂っている油煙を調理後すばやく排気し調理後の臭気低減を促進するレンジフードを得られる。【選択図】図１
2014062711.tif 000002
【特許請求の範囲】
【請求項１】
下面に主吸込口と天面に排気口を有するフードと、このフードの内部に主排気ファンを設けたファンユニットとを設け、前記主吸込口から吸い込んだ空気を前記排気口へと通風する風路を形成し、前記ファンユニットの上部に補助ファンの副吸気口に連通した副吸込開口を設け、前記補助ファンから吸い込んだ空気を前記主排気ファンの主吸気口に通風するように形成し、調理時の排気では前記主排気ファンを作動させ、調理後の換気では前記主排気ファンと前記補助ファンを作動させるとともに、前記補助ファンより前記主排気ファンの吸込風量を多くすることを特徴としたレンジフード。
【請求項２】
調理後のある一定時間は主排気ファンと補助ファンを作動させ、その後の常時換気では主排気ファンのみを作動させることを特徴としたレンジフード。
【請求項３】
調理時に主排気ファンと補助ファンの両方を作動させることを特徴としたレンジフード。
【発明の詳細な説明】
【技術分野】
【０００１】
本発明は台所内で調理時に発生する油煙などを捕集して屋外に排気するレンジフードに関するものである。
【背景技術】
【０００２】
従来、この種のレンジフードは、フード本体の内部空間の下部位置に主排気ファンを、該フード本体内部空間の上部位置に上部排気ファンを内設し、フード本体の上部に上部吸い込み口を開設すると共に、両排気ファン同士をフード本体内の連絡路を介して連絡せしめ、この連絡路の中間部に可動ダンパーを設けたものが知られている（例えば、特許文献１参照）。
【０００３】
以下、そのレンジフードについて図２を参照しながら説明する。
【０００４】
図２に示すように、フード本体１０１の内部空間の下部位置に主排気ファン１０２を、該フード本体１０１内部空間の上部位置に上部排気ファン１０３を内設し、フード本体１０１の上部に上部吸い込み口１０４を開設すると共に、両排気ファン同士１０２，１０３をフード本体１０１内の連絡路１０５を介して連絡せしめ、この連絡路１０５の中間部に可動ダンパー１０６を設け、可動ダンパー１０６は、中間閉じ位置１０６ａと、下部閉じ位置１０６ｂとの間を選択的に移動するように構成している。
【０００５】
以上のように構成されたレンジフードの動作について説明する。
【０００６】
使用者が主排気ファン１０２及び上部排気ファン１０３の駆動と、可動ダンパー１０６の移動位置とを選択的に設定することにより、主排気ファン１０２を利用したフード本体下部の吸い込み口１０７からの排気の吸引、上部排気ファン１０３を利用した上部吸い込み口１０４からの吸引、及び両排気ファン１０２，１０３を共動させて上部吸い込み口１０４から急速吸引等、排気の発生状況に応じて排気を行なう。
【先行技術文献】
【特許文献】
【０００７】
【特許文献１】特許第４８７５３８３号公報
【発明の概要】
【発明が解決しようとする課題】
【０００８】
このような従来のレンジフードにおいては、コンロ等から発生した油煙がフード捕集部内に吸い込まれずフード捕集部から漏れた油煙は室内の天井近傍に漂い、排気ファンの運転によりゆっくりと室外へ排気されるか、また、他の換気扇や自然換気により排気されるため、調理後でもしばらく調理臭が残り、そのことを解決するために補助排気ファンを設けて使用すれば調理後の臭気はすばやく解消できるが、可動ダンパーを設けて排気方向を選択したり、逆流を防止する必要があるため、構造が複雑となり、掃除性の悪化やコストアップの要因となり、また、上記補助排気ファンがないタイプも存在するが、この場合の副吸込み風量は主排気ファンの風量に依存するため、副吸込みの風量を増やすには主排気ファンの風量を増やす必要があり、調理後の換気には騒音が大きく、また、居室全体の排気も増えるため、エアコン使用時には空調負荷が増加する、という課題を有していた。
【０００９】
そこで本発明は、上記従来の課題を解決するものであり、フード捕集部から漏れ、室内の天井近傍に漂っている油煙を調理後すばやく排気するとともに、調理後の臭気低減を促進することができるレンジフードを提供することを目的とする。
【課題を解決するための手段】
【００１０】
そして、この目的を達成するために、本発明は、下面に主吸込口と天面に排気口を有するフードと、このフードの内部に主排気ファンを設けたファンユニットとを設け、前記主吸込口から吸い込んだ空気を前記排気口へと通風する風路を形成し、前記ファンユニットの上部に補助ファンの副吸気口に連通した副吸込開口を設け、前記補助ファンから吸い込んだ空気を前記主排気ファンの主吸気口に通風するように形成し、調理時の排気では前記主排気ファンを作動させ、調理後の換気では前記主排気ファンと前記補助ファンを作動させるとともに、前記補助ファンより前記主排気ファンの吸込風量を多くすることとしたものであり、これにより所期の目的を達成するものである。
【発明の効果】
【００１１】
本発明によれば、下面に主吸込口と天面に排気口を有するフードと、このフードの内部に主排気ファンを設けたファンユニットとを設け、前記主吸込口から吸い込んだ空気を前記排気口へと通風する風路を形成し、前記ファンユニットの上部に補助ファンの副吸気口に連通した副吸込開口を設け、前記補助ファンから吸い込んだ空気を前記主排気ファンの主吸気口に通風するように形成し、調理時の排気では前記主排気ファンを作動させ、調理後の換気では前記主排気ファンと前記補助ファンを作動させるとともに、前記補助ファンより前記主排気ファンの吸込風量を多くするという構成にしたことにより、調理時にはフード下面から主排気ファンで調理時の油煙を局所的に吸い込み排気し、補助ファンの副吸気口に連通した副吸込開口から主排気ファンの吸込み力のみの小風量で天井近傍に漂っている油煙を排気し、調理後は補助ファンにより天井付近に漂っている油煙をすばやく排気しながら臭気は主排気ファンで排気することとなるので、フード捕集部から漏れ、室内の天井近傍に漂っている油煙を調理後すばやく排気するとともに、調理後の臭気低減を促進することができる、という効果を得ることができる。
【図面の簡単な説明】
【００１２】
【図１】本発明の実施の形態１のレンジフードを示す縦断側面図
【図２】従来のレンジフードを示す縦断側面図
【発明を実施するための形態】
【００１３】
本発明の請求項１記載のレンジフードは、下面に主吸込口と天面に排気口を有するフードと、このフードの内部に主排気ファンを設けたファンユニットとを設け、前記主吸込口から吸い込んだ空気を前記排気口へと通風する風路を形成し、前記ファンユニットの上部に補助ファンの副吸気口に連通した副吸込開口を設け、前記補助ファンから吸い込んだ空気を前記主排気ファンの主吸気口に通風するように形成し、調理時の排気では前記主排気ファンを作動させ、調理後の換気では前記主排気ファンと前記補助ファンを作動させるとともに、前記補助ファンより前記主排気ファンの吸込風量を多くする、という構成を有する。これにより、調理時にはフード下面から主排気ファンで調理時の油煙を局所的に吸い込み排気し、補助ファンの副吸気口に連通した副吸込開口から主排気ファンの吸込み力のみの小風量で天井近傍に漂っている油煙を排気し、調理後は補助ファンにより天井付近に漂っている油煙をすばやく排気しながら臭気は主排気ファンで排気することとなるので、フード捕集部から漏れ、室内の天井近傍に漂っている油煙を調理後すばやく排気するとともに、調理後の臭気低減を促進することができる、という効果を奏する。
【００１４】
また、調理後のある一定時間は主排気ファンと補助ファンを作動させ、その後の常時換気では主排気ファンのみを作動させる、という構成にしてもよい。これにより、調理後は天井付近に漂っている油煙をすばやく排気しながら、コンロ上の鍋から漂ってくる臭気も排気し、常時換気時は低風量で主排気ファンによってフード下面の主吸込口と補助ファンの副吸気口に連通した副吸込開口の両方から部屋全体を換気することとなるので、フード捕集部から漏れ、室内の天井近傍に漂っている油煙を調理後すばやく排気するとともに、調理後の臭気低減を促進することができつつ騒音や消費電力を抑えて部屋全体の換気することができる、という効果を奏する。
【００１５】
また、調理時に主排気ファンと補助ファンの両方を作動させる、という構成にしてもよい。これにより、調理時にはフードの下面から主排気ファンで調理時の油煙を局所的に吸い込み排気しながら、補助ファンからも天井近傍に漂っている油煙を排気することとなるので、調理中であっても、効率的に天井近傍の油煙の排気ができる、という効果を奏する。
【００１６】
以下、本発明の実施の形態について図面を参照しながら説明する。
【００１７】
（実施の形態１）
図１に示すように、本発明の実施の形態１のレンジフードは、下面に主吸込口１と天面に排気口２を有するフード３と、このフード３の内部に主排気ファン４を設けたファンユニット５とを設け、前記主吸込口１から吸い込んだ空気を前記排気口２へと通風する風路６を形成し、前記ファンユニット５の上部に補助ファン７のフード３の上面に副吸気口８に連通した副吸込開口９を設け、前記補助ファン７から吸い込んだ空気を前記主排気ファン４の主吸気口１０に通風するように形成し、調理時の排気では前記主排気ファン４を作動させ、調理後の換気では前記主排気ファン４と前記補助ファン７を作動させるとともに、前記補助ファン７より前記主排気ファン４の吸込風量を多くする、という構成である。
【００１８】
補助ファン７は例えばターボファンで構成することで、フード３内部の出っ張りを改善し、上部の空間も広くすることが出来、掃除性や安全性が向上できる。
【００１９】
なお、補助ファン７はターボファンとしたが、ケーシング付のシロッコファンやプロペラファンでも良い。
【００２０】
さらに、補助ファン７より主排気ファン４の吸込風量を多くすることで、補助ファン７が静圧に強いターボファンやシロッコファンなどの場合は、補助ファン７から吸い込んだ空気が主排気ファン４の主吸気口１０から排気されず、主吸込口１から室内へ漏れるのを防止できるので、背景技術のようなフード３の内部にダンパーを設ける必要がない。
【００２１】
また、補助ファンが静圧に弱いプロペラファンなどの場合は、副吸込開口９などに埃が溜まり吸込抵抗が増加しても、主排気ファン４で吸込みが補助出来るので、副吸込開口９から吸い込む空気の減少が抑えられる。
【００２２】
このような構成にすることにより、調理時にはフード３下面から主排気ファン４で調理時の油煙を局所的に吸い込み排気し、補助ファン７の副吸気口８に連通した副吸込開口９から主排気ファン４の吸込み力のみの小風量で天井近傍に漂っている油煙を排気し、調理後は補助ファン７により天井付近に漂っている油煙をすばやく排気しながら臭気は主排気ファン４で排気することとなるので、フード３の捕集部から漏れ、室内の天井近傍に漂っている油煙を調理後すばやく排気するとともに、調理後の臭気低減を促進することができる。
【００２３】
また、調理後のある一定時間は主排気ファン４と補助ファン７を作動させ、その後の常時換気では主排気ファン４のみを作動させる、という構成である。
【００２４】
このような構成にすることにより、調理後は天井付近に漂っている油煙が多く、それを副吸込開口９から補助ファン７ですばやく排気しながら、コンロ上の鍋から漂ってくる臭気も主吸込口１で吸い込んで排気することで部屋への拡散を防止し、常時換気時は低風量で主排気ファン４によりフード３下面の主吸込口１と補助ファン７の副吸気口８に連通した副吸込開口９の両方から部屋全体を換気することとなるので、フード３の捕集部から漏れ、室内の天井近傍に漂っている油煙を調理後すばやく排気するとともに、調理後の臭気低減を促進することができつつ、調理後の臭気低減後は騒音や消費電力を抑えて部屋全体を換気することができる。
【００２５】
また、調理時に主排気ファン４と補助ファン７の両方を作動させる、という構成である。
【００２６】
このような構成にすることにより、調理時にはフード３の下面から主排気ファン４で調理時の油煙を局所的に吸い込み排気しながら、補助ファン７からも天井近傍に漂っている油煙を排気することとなるので、室内の気流の影響でフード３の下面の主吸込口１での捕集が悪く油煙が多く漏れ、天井近傍に漂う油煙が増えた場合は、調理中であっても、効率的に天井近傍の油煙の排気ができる。
【産業上の利用可能性】
【００２７】
本発明にかかるレンジフードは、アイランドタイプのキッチンに使用されるセンターフードやペニンシュラタイプのキッチンに使用されるサイドフードのように横風の影響を受けてフード下部の主吸込口から油煙が漏れ易いレンジフードだけでなく、壁付けタイプの全てのレンジフードに対して有効である。
【符号の説明】
【００２８】
１    主吸込口
２    排気口
３    フード
４    主排気ファン
５    ファンユニット
６    風路
７    補助ファン
８    副吸気口
９    副吸込開口
１０  主吸気口
【図１】
2014062711.tif 000003
【図２】
2014062711.tif 000004